(57)【要約】      （修正有）【課題】太陽光に含まれる光のうち紫外線領域の波長を含む光を有効利用することのできる太陽光導光システムを提供する。【解決手段】屋外に設置された太陽光集光器３と、太陽光集光器３によって集光した太陽光を屋内に導くためのライトガイド４と、ライトガイド４によって屋内に導かれた太陽光を出射する光出射端５と、を備えている。ライトガイド４の少なくとも一部は、液体コアライトガイド２１によって構成されている。ライトガイド４は、太陽光集光器３から屋内に設置された接続ポイントＰまでが石英ライトガイド１１によって構成され、接続ポイントＰから光出射端５までが液体コアライトガイド２１によって構成されている。【選択図】図１
2015207481.tif 000002
【特許請求の範囲】
【請求項１】
屋外に設置された太陽光集光器と、前記太陽光集光器によって集光した太陽光を屋内に導くためのライトガイドと、前記ライトガイドによって屋内に導かれた太陽光を出射する光出射端と、を備えた太陽光導光システムであって、
前記ライトガイドの少なくとも一部が液体コアライトガイドによって構成されていることを特徴とする太陽光導光システム。
【請求項２】
前記ライトガイドは、前記太陽光集光器から屋内に設置された接続ポイントまでが石英ライトガイドによって構成され、前記接続ポイントから前記光出射端までが液体コアライトガイドによって構成されていることを特徴とする請求項１記載の太陽光導光システム。
【請求項３】
前記接続ポイントには、前記石英ライトガイドによって導かれた太陽光を複数の光出力ポートから出力する光分岐器が設置されており、
前記複数の光出力ポートには、前記液体コアライトガイドがそれぞれ接続されていることを特徴とする請求項２記載の太陽光導光システム。
【請求項４】
複数の液体コアライトガイドを備えており、
前記複数の液体コアライトガイドの光出射端から出射される太陽光の用途がそれぞれ異なることを特徴とする請求項１から請求項３のうちいずれか１項に記載の太陽光導光システム。
【請求項５】
複数の液体コアライトガイドを備えており、
前記複数の液体コアライトガイドには、前記太陽光集光器によって集光した太陽光のうち特定の波長範囲の光のみを透過または除去することのできる光学フィルターがそれぞれ設置されていることを特徴とする請求項１から請求項３のうちいずれか１項に記載の太陽光導光システム。
【請求項６】
屋内照明に用いられることを特徴とする請求項１から請求項５のうちいずれか１項に記載の太陽光導光システム。
【請求項７】
屋内における脱臭、除菌、及び／又は防汚に用いられることを特徴とする請求項１から請求項５のうちいずれか１項に記載の太陽光導光システム。
【請求項８】
屋内における植物栽培に用いられることを特徴とする請求項１から請求項５のうちいずれか１項に記載の太陽光導光システム。
【発明の詳細な説明】
【技術分野】
【０００１】
本発明は、屋外に設置された集光器によって集光した太陽光を、液体コアライトガイドによって屋内に導いて照明、脱臭、除菌、防汚、植物栽培等の用途に利用するための太陽光導光システムに関する。
【背景技術】
【０００２】
従来、屋外に設置された集光器によって集光した太陽光を、ライトガイド（光ファイバ）で屋内に導く太陽光照明装置が提案されている（特許文献１参照）。
【０００３】
一般に、太陽光照明装置のライトガイドとしては、耐候性に優れかつ光損失の少ない石英ライトガイド（石英光ファイバ）が用いられる。しかし、石英をコア材料とする光ファイバは、そのコア径が大きくなるに従い、著しく高価になるとともに可撓性に乏しくなるという欠点がある。
【０００４】
そこで、従来、石英光ファイバに替わるライトガイドとして、プラスチック製の光ファイバが提案されている。例えば、集光器によって集光した太陽光を導くためのライトガイドとして、ポリメチルメタクリレートまたはメチルメタクリレートを主成分とする共重合体をコアとする光ファイバを用いた太陽光伝送装置が提案されている（特許文献２参照）。
【先行技術文献】
【特許文献】
【０００５】
【特許文献１】特開平０６−３００９２５号公報
【特許文献２】特開昭６１−１３７１０３号公報
【発明の概要】
【発明が解決しようとする課題】
【０００６】
プラスチックをコア材料とする光ファイバは、石英光ファイバよりも安価であり、かつ、可撓性に優れるために屋内での敷設が容易であるという利点を有している。
しかし、プラスチック製の光ファイバは、太陽光に含まれる光のうち、紫外線領域の波長を含む光を伝送することができない。このため、プラスチック製の光ファイバを用いた従来の太陽光伝送装置は、紫外線領域の波長の光を必要とする脱臭、除菌、防汚、植物栽培等の用途に利用することができないという問題があった。
【０００７】
本発明は上記の課題に鑑みてなされたものであり、太陽光に含まれる光のうち紫外線領域の波長を含む光を有効利用することのできる太陽光導光システムを提供することを目的とする。
【課題を解決するための手段】
【０００８】
上記の課題を解決するための手段は、以下の通りである。
屋外に設置された太陽光集光器と、前記太陽光集光器によって集光した太陽光を屋内に導くためのライトガイドと、前記ライトガイドによって屋内に導かれた太陽光を出射する光出射端と、を備えた太陽光導光システムであって、
前記ライトガイドの少なくとも一部が液体コアライトガイドによって構成されていることを特徴とする太陽光導光システム。
【０００９】
前記ライトガイドは、前記太陽光集光器から屋内に設置された接続ポイントまでが石英ライトガイドによって構成され、前記接続ポイントから前記光出射端までが液体コアライトガイドによって構成されていることが好ましい。
【００１０】
前記接続ポイントには、前記石英ライトガイドによって導かれた太陽光を複数の光出力ポートから出力する光分岐器が設置されており、
前記複数の光出力ポートには、前記液体コアライトガイドがそれぞれ接続されていることが好ましい。
【００１１】
本発明の太陽光導光システムは、複数の液体コアライトガイドを備えており、前記複数の液体コアライトガイドの光出射端から出射される太陽光の用途がそれぞれ異なることが好ましい。
【００１２】
本発明の太陽光導光システムは、複数の液体コアライトガイドを備えており、前記複数の液体コアライトガイドには、前記太陽光集光器によって集光した太陽光のうち特定の波長範囲の光のみを透過または除去することのできる光学フィルターがそれぞれ設置されていることが好ましい。
【００１３】
本発明の太陽光導光システムは、屋内照明に用いることができる。
本発明の太陽光導光システムは、屋内における脱臭、除菌、及び／又は防汚に用いることができる。
本発明の太陽光導光システムは、屋内における植物栽培に用いることができる。
【図面の簡単な説明】
【００１４】
【図１】太陽光導光システムの一例を示す説明図。
【図２】石英ライトガイドと液体コアライトガイドの接続部を示す断面図。
【図３】太陽光導光システムの他の実施例を示す説明図。
【図４】分岐器の正面図。
【図５】太陽光導光システムの適用例を示す説明図。
【図６】太陽光導光システムを集合住宅に導入した例を示す説明図。
【図７】太陽光導光システムを植物栽培に適用した例を示す説明図。
【図８】太陽光導光システムを海洋養殖に適用した例を示す説明図。
【発明を実施するための形態】
【００１５】
以下、本発明の実施形態について図面を参照しながら詳細に説明する。
本発明の太陽光導光システムは、屋外に設置された太陽光集光器と、前記太陽光集光器によって集光した太陽光を屋内に導くためのライトガイドと、前記ライトガイドによって屋内に導かれた太陽光を出射する光出射端と、を備えており、前記ライトガイドの少なくとも一部は、液体コアライトガイドによって構成されていることを特徴とする。
【００１６】
本発明の太陽光導光システムは、例えば屋内照明に利用することが可能である。また、後述するように、本発明の太陽光導光システムは、屋内における除菌、脱臭、防汚、植物栽培などの様々な用途に利用可能である。
【００１７】
図１に示す太陽光導光システム１は、住居の屋根２、マンションの屋上、あるいはオフィスビルの屋上などに設置された太陽光集光器３を備えている。太陽光集光器３によって集められた太陽光は、ライトガイド４によって屋内に伝送される。ライトガイド４によって屋内に伝送された太陽光は、ライトガイド４の室内側の端部に設けられた光出射端５から出射する。
【００１８】
太陽光集光器３は、二軸駆動の太陽自動追尾装置６と、太陽自動追尾装置６の集光用開口部に取り付けられたフレネル集光レンズ７を備えている。フレネル集光レンズ７の焦点位置には、ライトガイド４の光入射端（図示せず）が取り付けられている。なお、太陽光集光器３は、一軸駆動のものであってもよい。
【００１９】
太陽光集光器３を既存の建造物の屋根に設置する場合は、太陽光集光器３から延設されたライトガイド４を屋内に引き込むための孔９を壁８に設けてもよい。
【００２０】
ライトガイド４は、集光器３側のライトガイドと、光出射端５側のライトガイドに分割されている。これら２種類のライトガイドは、屋内に設置された接続ポイントＰにおいて接続されている。
【００２１】
集光器３と接続ポイントＰとの間には、石英をコア材料とする石英ライトガイド１１が敷設されている。石英ライトガイド１１が、集光器３側のライトガイド４に対応する。
接続ポイントＰと光出射端５との間には、液体をコア材料とする液体コアライトガイド２１が敷設されている。液体コアライトガイド２１が、光出射端５側のライトガイド４に対応する。
【００２２】
図２（ａ）に示すように、石英ライトガイド１１は 、石英で形成されたコア１２及びクラッド１３を備えている。石英ライトガイド１１の外周部は、ジャケット１４で被覆されている。石英ライトガイド１１のコア１２の直径は、例えば６ｍｍである。石英ライトガイド１１の光出射端１５には、コネクタパイプ１６が装着されている。コネクタパイプ１６の外周面には、雄ネジ１７が形成されている。雄ネジ１７は、液体コアライトガイド２１のロックナット２９に螺合される。
【００２３】
図２（ａ）に示すように、液体コアライトガイド２１は、サポートチューブ２２を備えている。サポートチューブ２２の内周面には、図示しないクラッド層がコーティングされている。サポートチューブ２２の外周面は、ジャケット２５によって被覆されている。サポートチューブ２２の内部には、コアとして機能する導光液２３が充填されている。サポートチューブ２２の両端部は、石英によって形成された透光性プラグ２４によって封止されている。透光性プラグ２４は、円柱状の形状を有している。
【００２４】
導光液２３は、長期間変質しない化学的安定性の高い液体であることが好ましい。導光液２３は、例えば、リン酸二水素ナトリウム水溶液（ＮａＨ２ＰＯ４）、リン酸水素二カリウム水溶液（Ｋ２ＨＰＯ４）、塩化カルシウム水溶液（ＣａＣｌ２）、又は、シリコーンオイルであることが好ましい。導光液２３は、屈折率ｎ＝１.４０以上であることが好ましい。
【００２５】
クラッド層は、サポートチューブ２２の内周面にコーティングされている。クラッド層は、導光液２３よりも屈折率が低い。クラッド層は、導光液２３と長期間接触しても変質しない材料で形成されることが好ましい。クラッド層を形成する材料は、耐薬品性、耐熱性、耐光性、及び耐候性に優れていることが好ましい。クラッド層を形成する材料として、デュポン社のテフロンＡＦ（商品名）のようなアモルファスフルオロポリマー（屈折率ｎ＝１.２９）を使用することができる。クラッド層を形成する材料として、メルク社のＳｉｏｓｏｌ（商品名）のような低密度ＳｉＯ２ゾルゲル材料（屈折率ｎ＝１.２２）を使用することもできる。
【００２６】
サポートチューブ２２を形成する材料として、例えば、ＦＥＰ（テトラフルオロエチレン−ヘキサフルオロプロピレン共重合体）、ＰＦＡ（パーフルオロアルコキシポリマー）、ＰＶＤＦ（ポリフッ化ビニリデン）、ＥＴＦＥ（エチレン−テトラフルオロエチレン共重合体）、ＰＴＦＥ（ ポリテトラフルオロエチレン）、ＴＦＢ（テトラフルオロエチレン−ヘキサフルオロプロピレン−フッ化ビニリデン共重合体）、ＰＦＥ（四フッ化エチレン−パーフルオロアルコキシエチレン共重合体）、又はＰＣＴＦＥ（ポリクロルトリフルオロエチレン）を用いることができる。
【００２７】
図２（ｂ）に示すように、石英ライトガイド１１と液体コアライトガイド２１は、屋内（例えば天井スラブ内）に設けられた接続ポイントＰにおいて接続される。接続ポイントＰにおいて、ロックナット２９は、コネクタパイプ１６に螺合される。これにより、液体コアライトガイド２１の透光性プラグ２４の端面は、石英ライトガイド１１のコア１２の端面に接触する。
【００２８】
図２（ｂ）に示すように、液体コアライトガイド２１のコアの直径（＝サポートチューブ２２の内径）は、石英ライトガイド１１のコア１２の直径より大きくなっている。これにより、接続ポイントＰにおける光の漏れが防止されている。
【００２９】
液体コアライトガイド２１は、接続ポイントＰから、住居、マンション、あるいはオフィスビルの各部屋まで敷設されている。液体コアライトガイド２１の光出射端５には、任意の照明器具が設けられている。例えば、光出射端５には、照明光を拡散させるための光拡散板３１が設けられている。
【００３０】
ライトガイド４の屋外に露出している部分は、耐候性に優れた石英ライトガイド１１によって構成されており、ライトガイド４が風雨や直射日光によって劣化することが防止されている。
【００３１】
ライトガイド４の接続ポイントＰから光出射端５までの部分は、安価な液体コアライトガイド２１によって構成されている。これにより、太陽光導光システム１を安価に製造することが可能となっている。また、液体コアライトガイド２１は可撓性に優れているため、接続ポイントＰから各部屋への液体コアライトガイド２１の敷設作業が容易である。
【００３２】
図３は、本発明の他の実施例を示す説明図である。以下の実施例では、図１と同一の部分には同一の符号を付して説明を省略する。
図３の太陽光導光システム４１は、集光器３で集光した太陽光を複数の光出力ポートから出力することのできる光分岐器４２を備えている。光分岐器４２は、接続ポイントＰに設置されている。光分岐器４２は、石英ライトガイド１１の光出射端１５から出射する光を複数に分割することができる。
【００３３】
図４に示すように、光分岐器４２は、複数の石英ファイバを束ねて形成された大径バンドルファイバ４３、及び、複数の小径バンドルファイバ４４を備えている。大径バンドルファイバ４３の一方の端部は、複数の小径バンドルファイバ４４に分岐している。大径バンドルファイバ４３の端部は、光入力ポート４５となっている。光入力ポート４５には、石英ライトガイド１１の光出射端１５が接続している。小径バンドルファイバ４４の端部は、複数の光出力ポート４６となっている。複数の光出力ポート４６には、液体コアライトガイド２１の光入射端２６がそれぞれ接続している。
【００３４】
集光器３と接続ポイントＰとの間に敷設された石英ライトガイド１１は、接続ポイントＰに設置された光分岐器４２の光入力ポート４５に接続している。
接続ポイントＰと光出射端５との間に敷設された複数の液体コアライトガイド２１は、光分岐器４２の複数の光出力ポート４６にそれぞれ接続している。
このため、集光器３によって集光された太陽光は、石英ライトガイド１１、光分岐器４２、及び液体コアライトガイド２１をこの順番で通過する。集光器３で集光された太陽光は、光分岐器４２によって複数に分割された後、複数の液体コアライトガイド２１の光出射端５から屋内に照射される。
【００３５】
なお、本発明で用いられる光分岐器は、図４に示す光分岐器４２以外の形式のものであってもよい。
【００３６】
図５は、本発明の太陽光導光システムの第１の適用例を示す説明図である。
図５に示すように、本発明の太陽光導光システム５０は、集光器３によって集光した太陽光を、住居５２、工場５４、あるいはマンション５６などの各施設に伝送するためのインフラとして用いることができる。各施設に伝送された太陽光は、照明、防臭、殺菌、防汚などの用途に利用することができる。
【００３７】
太陽光導光システム５０によって各施設に伝送される太陽光は、照明光として利用することができる。例えば、住居、工場、学校、病院など、照明光を必要とするあらゆる施設に太陽光導光システム５０を導入することができる。
【００３８】
本発明の太陽光導光システム５０を用いれば、例えば、太陽が出ている日中は、太陽光を照明光として利用することができる。太陽が沈んでいる夜間は、通常の電気照明を用いることができる。電気照明には、例えば、日中の余剰の太陽光を利用して発電した電気を使用することができる。これにより、住居、工場、マンションなどの照明に用いられる電気の使用量を大幅に削減することができる。
【００３９】
図６は、本発明の太陽光導光システムの第２の適用例を示す説明図である。
図６に示すように、本発明の太陽光導光システム６０を用いれば、集光器３によって集光した太陽光を、集合住宅６２の各部屋６４に伝送することができる。集合住宅６２の例として、マンション、アパート等を挙げることができる。
【００４０】
集合住宅６２の屋根の内部に設けられた接続ポイントＰには、集光器３から伝送されてきた太陽光を各部屋６４に分配するための一括配光盤（図示せず）が設置されている。また、各部屋６４には、一括配光盤によって各部屋６４に分配された太陽光を、部屋６４の内部の複数の場所に分配するための戸別配光盤６６が設置されている。
【００４１】
太陽光導光システム６０によって各部屋６４に分配された太陽光は、様々な用途に利用することができる。例えば、伝送される太陽光を、照明、防臭、殺菌、及び／又は防汚などの用途に利用することができる。
【００４２】
集合住宅６２の部屋６４の壁には、酸化チタン（ＴｉＯ２）などの光触媒を塗布することが好ましい。部屋６４の壁に光触媒を塗布し、太陽光を各部屋６４の壁に照射することによって、防臭、殺菌、防汚などの光触媒の効果を得ることができる。
【００４３】
日光が届きにくい部屋の壁、例えば、浴室やトイレの壁に光触媒（例えば光触媒を含む塗料）を塗布することが好ましい。そして、液体コアライトガイド２１の光出射端５から出射される太陽光を、浴室やトイレの壁に照射することが好ましい。これにより、浴室やトイレなどの太陽光が届きにくい場所であっても、防臭、殺菌、防汚などの光触媒の効果が十分に発揮される。
【００４４】
従来のプラスチック製光ファイバは紫外線領域の光を伝送することができないため、防臭、殺菌、防汚などの光触媒の効果を十分に得ることができなかった。これに対し、本発明の太陽光導光システム６０によれば、紫外線領域の波長の光を伝送することが可能であり、紫外線領域の波長の光を部屋６４の壁に照射することによって、防臭、殺菌、防汚などの光触媒の効果を十分に得ることができる。
【００４５】
ライトガイド４のいずれかの箇所に、太陽光に含まれる光のうち特定の波長範囲の光のみを透過又は除去することのできる光学フィルターを設置することが好ましい。光学フィルターとしては、例えば、ビームスプリッター、レンズフィルター、ダイクロイックミラーなどを使用することができる。光学フィルターは、例えば、液体コアライトガイド２１の光入射端２６、又は、液体コアライトガイド２１の光出射端５に設置することができる。
【００４６】
例えば、ライトガイド４のいずれかの箇所に、光学フィルターを設置する。そして、ライトガイド４の光出射端５から、紫外線領域の波長の光（例えば、波長450nm以下、好ましくは波長400nm以下の光）のみを、光触媒を塗布した壁に向けて照射する。これにより、各部屋６４において、光触媒の防臭、殺菌、防汚などの効果をより有効に発揮させることができる。
【００４７】
図７は、本発明の太陽光導光システムの第３の適用例を示す説明図である。
図７に示すように、本発明の太陽光導光システム７０によって、地下シェルター、トンネル、洞窟などの地下空間７２の内部に太陽光を伝送することができる。
【００４８】
なお、本発明の「屋内」とは、太陽光が直接的に届かない空間を意味する。したがって、地下空間７２も、本発明の「屋内」の範囲に含まれる。海や湖の水の中も、太陽光が直接的に届かないため、本発明の「屋内」の範囲に含まれる。
【００４９】
本発明の太陽光導光システム７０は、地下空間７２において照明に用いることができる。例えば、地下空間７２に人の住居を建設した場合、この住居における生活のための照明に用いることができる。
【００５０】
本発明の太陽光導光システム７０は、地下空間７２における防臭、殺菌、防汚などに利用することができる。例えば、地下空間７２の壁面に光触媒を塗布し、この壁面に太陽光を照射することによって、防臭、殺菌、防汚などの光触媒による効果を得ることができる。
【００５１】
本発明の太陽光導光システム７０は、地下空間７２における太陽光発電に利用することができる。例えば、地下空間７２に太陽電池を設置し、この太陽電池に太陽光導光システム７０によって伝送される太陽光を照射する。これにより、地上から地下空間７２に電気を送電するための送電線が設けられていない場合であっても、地下空間７２において電気を使用することが可能になる。
【００５２】
本発明の太陽光導光システム７０は、地下空間７２での植物栽培に利用することができる。本発明の太陽光導光システム７０を用いれば、例えば、地下空間７２において、野菜や果物などの植物７４を栽培することができる。
【００５３】
従来のプラスチック製の光ファイバを用いた太陽光導光システムは、紫外線領域の光を伝送することができないため、地下空間における植物栽培に適用することは困難であった。
これに対し、本発明の太陽光導光システム７０は、植物の光合成に必要な紫外線領域の光を伝送することができる。したがって、本発明の太陽光導光システム７０は、地下空間７２における果物や野菜などの植物の栽培に利用することができる。
【００５４】
本発明の太陽光導光システム７０によって、従来は放置されていた廃坑や廃トンネル、洞窟などの地下空間７２の有効利用が可能になる。例えば、これらの放置されていた地下空間を、人の住居や農場として有効利用することが可能になる。
【００５５】
本発明の太陽光導光システム７０は、地震や原発によって被災した地域の復興支援に役立てることができる。
例えば、地下空間７２を、災害などによって家を失った人の住居として利用することができる。また、地下空間７２を、災害から避難するためのシェルターとして利用することができる。また、地下空間７２を、大規模な農場として利用することができる。例えば、地上が放射能によって汚染されている地域であっても、放射能によって汚染されていない地下空間７２を農場として利用することができる。
【００５６】
図８は、本発明の太陽光導光システムの第４の適用例を示す説明図である。
図８に示すように、本発明の太陽光導光システム８０は、海８２の水の浄化に利用することができる。また、本発明の太陽光導光システム８０は、海洋養殖に利用することができる。
【００５７】
本発明の太陽光導光システム８０を用いることによって、海８２の浅瀬８４に生えている海草８６（あるいは藻類）に太陽光を照射することができる。これにより、海草８６の成長が促進されるため、海８２の水を浄化することができる。
【００５８】
本発明の太陽光導光システム８０を用いることによって、近海８８において魚９０を養殖することが可能になる。
従来、魚の養殖は浅瀬８４で行われることが通常であった。本発明の太陽光導光システム８０を用いることによって、海８２の深部に太陽光を伝送することができるため、浅瀬８４よりも深い場所にある近海８８においても魚９０を養殖することが可能になる。
【００５９】
本発明の太陽光導光システムは、例えば、屋内での日光浴に用いることができる。例えば、伝送される太陽光から光学フィルターによって波長400nm以下の皮膚に有害な光を除去することによって、伝送される太陽光を屋内での日光浴に用いることができる。
【００６０】
本発明の太陽光導光システムは、例えば、屋内での太陽光発電に用いることができる。例えば、伝送される太陽光から光学フィルターによって波長1500nm以上の熱線を除去することによって、太陽光パネルの温度上昇を抑制することができる。これにより、屋内での太陽光発電を高効率で行うことができる。
【００６１】
本発明の太陽光導光システムは、例えば、屋内における暖房及び／又は加熱に用いることができる。例えば、伝送される太陽光から波長800nm以下の紫外光及び可視光を光学フィルターによって除去することによって、液体コアライトガイド２１の光出射端５から出射される光を、暖房及び／又は加熱に用いることができる。
【００６２】
本発明の太陽光導光システムは、屋内での植物栽培に用いることができる。例えば、伝送される太陽光から緑色光を除去することによって、植物栽培に必要な青色光と赤色光を得ることができる。伝送される太陽光から緑色光を除去するためには、公知の光学フィルターを用いることができる。
【００６３】
本発明の太陽光導光システムによって屋内に伝送される太陽光を、波長変換素子によってＵＶ−ＢまたはＵＶ−Ｃに変換してもよい。ＵＶ−ＢまたはＵＶ−Ｃは、光触媒に照射することができる。
【００６４】
本発明の太陽光導光システムは、複数種類の液体コアライトガイド２１を備えてもよい。
例えば、本発明の太陽光導光システムは、コアとして用いられている導光液２３が互いに異なる複数種類の液体コアライトガイド２１を備えてもよい。複数種類の液体コアライトガイド２１は、太陽光を照射する対象や用途に応じて使い分けてもよい。
【００６５】
液体コアライトガイド２１の光出射端５には、光入射端２６に向けて光を反射して戻すためのミラーを設置してもよい。
例えば、液体コアライトガイド２１のサポートチューブ２２の内部に、回転自在のミラーを設置する。そして、サポートチューブ２２の外部に磁石を設置し、この磁石によってミラーを回転させて操作する。このようなミラーを用いれば、太陽光を必要としない時間は、光出射端５に到達した光を、光入射端２６に戻すことができる。余剰の太陽光を光入射端２６に戻すことによって、太陽光が不足している他の液体コアライトガイドに余剰の太陽光を振り分けることが可能になる。
【００６６】
本発明の太陽光導光システムは、複数の液体コアライトガイド２１を備えることが好ましい。複数の液体コアライトガイド２１の光入射端２６または光出射端５には、太陽光に含まれる特定の波長範囲の光のみを透過または除去することのできる光学フィルターをそれぞれ設置することが好ましい。これにより、例えば第１の液体コアライトガイド２１の光出射端５からは、紫外光を取り出すことができる。第２の液体コアライトガイド２１の光出射端５からは、赤外光を取り出すことができる。第３の液体コアライトガイド２１の光出射端５からは、可視光を取り出すことができる。このように、複数の液体コアライトガイド２１のそれぞれに光学フィルターを設置することによって、波長範囲が異なる複数の光を用途に応じて使い分けることが可能になる。
【００６７】
上記実施形態では、ライトガイド４が、石英ライトガイド１１及び液体コアライトガイド２１によって構成される例について説明したが、ライトガイド４の全体が液体コアライトガイド２１によって構成されてもよい。すなわち、例えば図１の石英ライトガイド１１は、液体コアライトガイド２１に置き換わってもよい。太陽光導光システムに使用されるライトガイドの全部は、液体コアライトガイドであってもよい。
【符号の説明】
【００６８】
１、４１、５０、６０、７０、８０    太陽光導光システム
３      集光器
４      ライトガイド
５      光出射端
６      太陽自動追尾装置
１１    石英ライトガイド
２１    液体コアライトガイド
２３    導光液
２６    光入射端
４２    光分岐器
４５    光入力ポート
４６    光出力ポート
６２    集合住宅
６４    部屋
７２    地下空間
７４    植物
８２    海
８４    浅瀬
８６    海草
８８    近海
【図１】
2015207481.tif 000003
【図２】
2015207481.tif 000004
【図３】
2015207481.tif 000005
【図４】
2015207481.tif 000006
【図５】
2015207481.tif 000007
【図６】
2015207481.tif 000008
【図７】
2015207481.tif 000009
【図８】
2015207481.tif 000010